(57)【要約】      （修正有）【課題】巻き上がった消防用ホースの抜き取り作業が簡単に行える消防用ホースの巻取り装置を提供する。【解決手段】支持フレーム２で回転可能に支持した円板３の前面に突出する回転軸４と巻取り軸７で、消防用ホースを長さ方向の中央部分からロール状の巻き姿にする消防用ホースの巻取り装置であり、前記回転軸４を、先端が円板３の前面から所定長さ突出する前進位置と、先端が円板３の前面から没入する後退位置の間を軸方向に移動自在となるようにし、巻き上がった消防用ホースから予め回転軸４を抜き取るようにする。【選択図】図１
0003155856.tif 000002
【実用新案登録請求の範囲】
【請求項１】
支持フレームで回転可能に支持した円板の前面に突出する回転軸と巻取り軸の間に消防用ホースの長さ方向の中心部を挿入し、回転軸の回りを巻取り軸が旋回することで、消防用ホースをロール状の巻き姿にする消防用ホースの巻取り装置において、
前記回転軸を、先端が円板の前面から所定長さ突出する前進位置と、先端が円板の前面から没入する後退位置の間を軸方向に移動自在となるようにしたことを特徴とする消防用ホースの巻取り装置。
【請求項２】
上記回転軸は、支持フレームで回転可能に支持した円板の水平となる回転軸心上に沿って進退動自在となり、回転操作用のハンドルによって回転が付与され、前記支持フレームと回転軸の間に、この回転軸を軸方向に移動させる進退操作機構を設け、前記円板と回転軸の間に、回転軸が前進位置にある状態で回転軸の回転を円板に伝える回転伝達機構を設け、前記円板の前面に、回転軸との間に消防用ホースが挟まる間隔を設けて巻取り軸を突設したことを特徴とする請求項１に記載の消防用ホースの巻取り装置。
【請求項３】
上記円板は、後面に固定した筒軸が支持フレームの軸受で支持されて回転自在となり、上記回転軸が筒軸に対して回転と軸方向への移動が可能となるよう嵌り合い、上記回転伝達機構が、前記筒軸の後端に突設した突起と、回転軸が前進位置にある状態で前記突起に対して回転方向に係合するよう回転軸に突設した突起とで形成されていることを特徴とする請求項１又は２に記載の消防用ホースの巻取り装置。
【請求項４】
上記進退操作機構は、支持フレームに回動可能となるよう枢止した円弧状のピニオンに操作レバーを取付け、前記ピニオンを上記回転軸の外周面に形成したラックに噛み合せ、前記操作レバーでピニオンを回動させて回転軸を軸方向に移動させるように形成されていることを特徴とする請求項２に記載の消防用ホースの巻取り装置。
【請求項５】
上記支持フレームは、円板の径方向に沿う両側の位置に前方への突出部が円板を挟んで対向するように設けられ、この両側突出部に、回転軸と巻取り軸で巻き取られて長さ方向に移動する消防用ホースを誘導するホース誘導部が設けられていることを特徴とする請求項１乃至４の何れかに記載の消防用ホースの巻取り装置。
【請求項６】
上記支持フレームは、円板の径方向に沿う両側の位置に前方への突出部が円板を挟んで対向するように設けられ、この両側突出部間に、前記円板の前面との間に回転軸と巻取り軸で巻き取られる消防用ホースの幅寸法に見合う間隔を設けて配置され、巻き取られる消防用ホースの幅方向を揃える規制杆を着脱自在に架設したことを特徴とする請求項１乃至５の何れかに記載の消防用ホースの巻取り装置。
【考案の詳細な説明】
【技術分野】
【０００１】
この考案は、長い消防用ホースを長さ方向の中心部で二つ折りにした二重の状態でロール状の巻き姿にする消防用ホースの巻取り装置に関する。
【背景技術】
【０００２】
長い消防用ホースは、格納時や車載時に嵩低くなるよう、長さ方向の中心部で二つ折りにした二重の状態で全長をロール状の巻き姿にすることが行われており、このような巻き姿にするために消防用ホースの巻取り装置が使用されている。
【０００３】
従来の消防用ホースの巻取り装置は、地面に設置する支持フレームに軸心が水平となる円板を回転可能に取付け、この円板の前面に、円板の回転軸心上に位置して円板の前面から所定長さ突出する回転軸と、回転軸との間に消防用ホースが挟まる間隔を設けた偏心位置に巻取り軸を平行状態で突設し、前記円板を回転軸の後端に取付けたハンドルで回転させる構造になっている（例えば、特許文献１参照）。
【０００４】
消防用ホースを巻き取るには、消防用ホースの長さ方向の中心部を中心軸と巻取り軸の間に挿入し、ハンドルで円板を回転させると、中心軸の回りを巻取り軸が旋回することで、消防用ホースの長さ方向の中心部が巻取り軸で二つ折りとなりながら中心軸の周囲に巻かれていき、消防用ホースの両端側が順次引き込まれることでロール状の巻き姿になり、巻き上がった消防用ホースは、中心軸と巻取り軸から抜き取るようにする。
【先行技術文献】
【特許文献】
【０００５】
【特許文献１】実開平６−７７７５５号公報
【考案の概要】
【考案が解決しようとする課題】
【０００６】
ところで、中心軸と巻取り軸で消防用ホースの長さ方向の中心部で二つ折りとなるように巻き取る場合、消防用ホースの両端側を引き込まなければならないので、巻取り部分の中心に消防用ホースの両端側の重量に該当する巻き締め力がかかり、消防用ホースは中心軸と巻取り軸に対して強固に巻き締めた状態になるので、巻き上がった消防用ホースを中心軸と巻取り軸から抜き取るのに大きな力が必要になり、抜き取り作業が非常に困難であるという問題がある。
【０００７】
そこで、この考案の課題は、巻き上がった消防用ホースの抜き取り作業が、大きな力を必要とすることなく簡単に行える消防用ホースの巻取り装置を提供することにある。
【課題を解決するための手段】
【０００８】
上記の課題を解決するため、この考案は、支持フレームで回転可能に支持した円板の前面に突出する回転軸と巻取り軸の間に消防用ホースの長さ方向の中心部を挿入し、回転軸の回りを巻取り軸が旋回することで、消防用ホースをロール状の巻き姿にする消防用ホースの巻取り装置において、前記回転軸を、先端が円板の前面から所定長さ突出する前進位置と、先端が円板の前面から没入する後退位置の間を軸方向に移動自在となるようにしたものである。
【０００９】
上記回転軸は、支持フレームで回転可能に支持した円板の水平となる回転軸心上に沿って進退動自在となり、回転操作用のハンドルによって回転が付与され、前記支持フレームと回転軸の間に、この回転軸を軸方向に移動させる進退操作機構を設け、前記円板と回転軸の間に、回転軸が前進位置にある状態で回転軸の回転を円板に伝える回転伝達機構を設け、前記円板の前面に、回転軸との間に消防用ホースが挟まる間隔を設けて巻取り軸を突設した構造とすることができる。
【００１０】
上記円板は、後面に固定した筒軸が支持フレームの軸受で支持されて回転自在となり、上記回転軸が筒軸に対して回転と軸方向への移動が可能となるよう嵌り合い、上記回転伝達機構が、前記筒軸の後端に突設した突起と、回転軸が前進位置にある状態で前記突起に対して回転方向に係合するよう回転軸に突設した突起とで形成されている構造としてもよい。
【００１１】
上記進退操作機構は、支持フレームに回動可能となるよう枢止した円弧状のピニオン歯車に操作レバーを取付け、前記ピニオン歯車を上記回転軸の外周面に形成したラックに噛み合せ、前記操作レバーでピニオン歯車を回動させて回転軸を軸方向に移動させるように形成されているようにすることができる。
【００１２】
上記支持フレームは、円板の径方向に沿う両側の位置に前方への突出部が円板を挟んで対向するように設けられ、この両側突出部に、回転軸と巻取り軸で巻き取られて長さ方向に移動する消防用ホースを誘導するホース誘導部が設けられているようにすることができる。
【００１３】
上記支持フレームの両側突出部間に、前記円板の前面との間に回転軸と巻取り軸で巻き取られる消防用ホースの幅寸法に見合う間隔を設けて配置され、巻き取られる消防用ホースの幅方向を揃える規制杆を着脱自在に架設した構造とすることができる。
【００１４】
ここで、支持フレームは、角パイプ等を用い、両側接地杆の上面にそれぞれ縦柱を立設し、この縦柱を下部横桟と中間横桟で結合すると共に、縦柱の上端に前方への突出部となる腕杆を対向状に設けて組立てられ、前記中間横桟の上面中央位置に支持プレートが固定されている。
【００１５】
上記支持プレートの起立する前板に固定した軸受で、上記円板の背面に固定した筒軸を回転可能に支持し、上記回転軸は前記筒軸と支持プレートの後板に固定した軸受で、軸方向に沿う前後動と回転が自在となるよう水平に支持されて、後端に取付けたハンドルの操作で回転させると共に、操作レバーの前後操作によって前後動するようになっている。
【００１６】
この回転軸は、前進位置にあるとき、先端側が円板の中心部前面から所定長さ突出し、後退位置にすると、先端が円板の前面から没入するようになっており、前進位置にあるとき、筒軸の後端に突設した突起と回転軸に突設した突起が係合し、回転軸と一体に円板を回転させることになり、この円板の前面で偏心位置に突設した巻取り軸が回転軸の周囲を旋回することになる。
【考案の効果】
【００１７】
この考案によると、円板の前面に突出する回転軸と巻取り軸の間に消防用ホースの長さ方向の中心部を挿入し、回転軸の回りを巻取り軸が旋回することで、消防用ホースをロール状の巻き姿にする消防用ホースの巻取り装置において、前記回転軸を円板の前面に対して出没自在としたので、巻き上がった消防用ホースの取外し時に、予め回転軸を没入させて巻き上がった消防用ホースから抜き取るようにすれば、巻き上がった消防用ホースの回転軸と巻取り軸に対する強固な巻き締めた状態が解消され、これにより、巻き上がった消防用ホース巻取り軸から簡単に抜き取ることができ、巻き上がった消防用ホースの抜き取り作業の省力化と簡略化が図れることになる。
【図面の簡単な説明】
【００１８】
【図１】この考案に係る消防用ホースの巻取り装置を示す正面側から見た斜視図
【図２】この考案に係る消防用ホースの巻取り装置を示す背面側から見た分解斜視図
【図３】この考案に係る消防用ホースの巻取り装置を示す縦断側面図
【図４】この考案に係る消防用ホースの巻取り装置を示す消防用ホース巻取り状態のカバーを外した状態の平面図
【図５】この考案に係る消防用ホースの巻取り装置を示す巻取った消防用ホース取外し状態のカバーを外した状態の平面図
【図６】この考案に係る消防用ホースの巻取り装置を示す、回転軸と円板の回転伝達機構の部分を拡大した縦断背面図
【図７】この考案に係る消防用ホースの巻取り装置による消防用ホースの巻取り開始時の状態を説明する正面図
【考案を実施するための形態】
【００１９】
以下、この考案の実施の形態を図示例に基づいて説明する。
【００２０】
図示のように、消防用ホースＡの巻取り装置１は、自立できるように組立てた支持フレーム２と、この支持フレーム２で回転可能に支持した円板３と、回転と軸方向への移動が可能となるよう取付けた回転軸４と、この回転軸４を軸方向に沿って進退動させる進退操作機構５と、回転軸４が前進位置にあるときこの回転軸４の回転を円板３に伝える回転伝達機構６とを有し、前記円板３の前面で回転軸４に対する偏心位置に巻取り軸７が突設されている。
【００２１】
図１と図２のように、上記支持フレーム２は、角パイプ等を用い、前後方向に向く両側接地杆８の上面中央にそれぞれ縦柱９を立設し、この縦柱９を水平の下部横桟１０と中間横桟１１で結合すると共に、縦柱９の上端に前方への突出部となる腕杆１２を対向状に設けて組立てられ、前記中間横桟１１の上面中央位置に進退操作機構５の支持プレート１３が固定されている。
【００２２】
上記支持プレート１３は、前後方向に長く前端に前板１３ａと後端に後板１３ｂが起立するように設けられ、前板１３ａの前面に固定した軸受１４で、上記円板３の背面に固定した筒軸１５を回転可能に支持している。なお、支持プレート１３の上はビスで着脱可能なカバー１３ｃで覆うようになっている。
【００２３】
この円板３は、消防用ホースＡを巻き取る場合に、扁平となってロール状に巻き取られる消防用ホースＡの一面側を位置決めし、巻き姿が崩れないようにするものであり、図３のように、中心位地に回転軸４が軸方向に出没するための孔３ａが設けられ、両側縦柱９間の前部位置に垂直で起立するように配置されている。
【００２４】
上記回転軸４は、前端側が筒軸１５に対して回転と軸方向への移動が可能となるよう嵌り合い、後端側が支持プレート１３の後板１３ｂに設けた軸受１６で回転と軸方向への移動ができるように支持され、その後端には、回転操作用のハンドル１７が固定されている。
【００２５】
この回転軸４は、上記円板３の回転軸心上に配置され、前進位置にあるとき、図１のように、先端側が消防用ホースＡの巻き取りに必要な長さだけ円板３の前面から前方に突出し、退動位置にあるときは、図５のように、先端側が円板３の前面から没入する範囲を前後動することになる。
【００２６】
上記進退操作機構５は、図４や図５のように、支持プレート１３の上面に枢軸１８で回動可能となるよう枢止した円弧状のピニオン歯車１９と、このピニオン歯車１９に取付けた操作レバー２０と、前記回転軸４の外周面で途中の位置に形成したラック２１とで形成され、歯先が前記枢軸１８を中心とする円弧のピニオン歯車１９をラック２１に噛み合せ、前記操作レバー２０でピニオン歯車１９を前後方向に回動させることにより、回転軸４の回転を許容した状態で、この回転軸４を軸方向に移動させるようになっている。
【００２７】
上記回転伝達機構６は、図６のように、上記筒軸１５の後端に突設した突起２２と、上記回転軸４に突設した突起２３で形成され、回転軸４が前進位置にあるとき、この回転軸４に突設した突起２３が筒軸１５の後端に当接し、筒軸１５の突起２２と回転方向に係合することにより、回転軸４と一体に円板３を回転させるようになっている。
【００２８】
上記円板３の前面に突設した巻取り軸７は、消防用ホースＡの巻き取りに必要な長さを有し、円板３の前面で回転軸４との間に消防用ホースＡが挟まる間隔を設けた偏心位置に、回転軸４と平行する状態で前方に突出するよう固定されている。
【００２９】
上記フレーム２の縦柱９の上端で、円板３の径方向に沿う上部両側に位置する腕杆１２には、この腕杆１２の上面で前後の位置に、回転軸４と巻取り軸７で巻き取られて長さ方向に移動する消防用ホースＡを誘導する一対のホース誘導部２４が設けられている。
【００３０】
このホース誘導部２４は、図示の場合、腕杆１２の上面に立設したボルト２４ａの軸部に短尺パイプ２４ｂを回転可能に外嵌して形成され、腕杆１２にも両ホース誘導部２４の間に短尺パイプ２５を回転可能に外嵌したものである。
【００３１】
上記フレーム２の縦柱９には、円板３の軸心よりも少し高い位置に、前方に向けて突出する腕板２６が突設され、両腕板２６間に、前記円板３の前面との間に回転軸４と巻取り軸７で巻き取られる消防用ホースＡの幅寸法に見合う間隔を設けて配置され、巻き取られる消防用ホースＡの幅方向を揃える規制杆２７を着脱自在に架設することができるようになっている。
【００３２】
腕板２６には先端部の複数箇所に規制杆２７を抜き差しする取付け孔２８が設けられ、金属線材で形成された規制杆２７を対応する取付け孔２８に挿通して腕板２６間に架設することにより、巻き取られる消防用ホースＡの幅方向を円板３とで揃えることになり、取付け孔２８を選ぶことで、消防用ホースＡの幅の変化に対応することができる。
【００３３】
この考案の消防用ホースの巻取り装置１は、上記のような構成であり、消防用ホースＡの巻取りに際して、支持フレーム２を起立するように設置し、図４のように、進退操作機構５の操作レバー２０を後方に引いて回転軸４を前進位置に移動させ、その先端側を円板３の前面から前方に所定長さ突出させた状態とする。
【００３４】
この状態で、回転軸４に設けた突起２３は筒軸１５の後端に当接して前進位置の位置決めとなり、図６のように、筒軸１５に設けた突起２２と回転方向に係合可能な関係になる。
【００３５】
消防用ホースＡを巻取るには、図４のように、この消防用ホースＡの全長を円板３の面方向に沿って引き延し、消防用ホースＡの長さ方向の中間部分を持ち上げ、フレーム２の上部両側に位置する腕杆１２上に載せて一対のホース誘導部間２４に納め、図７のように、この消防用ホースＡの長さ方向の中心部を扁平にした状態で、円板３の前面に突出する中心軸４と巻取り軸７の間に挿入する。
【００３６】
この状態で、腕板２６間に規制杆２７を架設し、その後、ハンドル１７により回転軸４を回転させると、突起２２と２３の係合により回転軸４の回転が筒軸１５を介して円板３に伝わり、回転軸４と円板３が同軸心の状態で一体に回転する。
【００３７】
円板３が回転すると、回転軸４に対して偏心する位置に突設してある巻取り軸７が回転軸４の回りを旋回することで、図７のように、消防用ホースＡは、長さ方向の中心部が巻取り軸７で二つ折りとなりながら回転軸４の周囲に扁平状態で二重に巻かれていき、消防用ホースＡの両端側がホース誘導部２４で誘導されながら、円板３に向けて順次引き込まれることでロール状の巻き姿になる。
【００３８】
この巻取り時に、扁平状態で二重に巻かれていく消防用ホースＡの一方側縁は円板３により整えられ、他方側縁は規制杆２７で揃えられることにより、巻径が増加してもロール状の巻き姿が崩れるようなことがない。
【００３９】
消防用ホースＡが巻き上がると、ハンドル１７による回転軸４の回転を停止して巻取りを終了し、図５のように、進退操作機構５の操作レバー２０を前方に押して回転軸４を後退位置に移動させ、巻き上がった消防用ホースＡの長さ方向の二つ折り中心部から回転軸４を抜き取るようにする。
【００４０】
巻き上がった消防用ホースＡの中心部は、巻取り時に消防用ホースＡの重量が加わることで回転軸４と巻取り軸７を巻き締めているが、ラック２１とピニオン歯車１９を介して操作レバー２０で一本の回転軸４を軸方向へ正確に移動させて引き抜く構造は、巻き上がった消防用ホースＡの中心部に対して、回転軸４の引抜に大きな力を要することなく簡単かつ省力的に行えることになる。
【００４１】
上記のように、回転軸４を引抜くと、規制杆２７を取外した後、巻き上がった消防用ホースＡを保持して前方に移動させ、巻取り軸７から抜き取るようにすればよく、巻き上がった消防用ホースＡの中心部から先に回転軸４が抜き取られているので、巻取り軸７に対する巻き締めが緩和されており、巻き上がった消防用ホースＡを巻取り軸から簡単に抜き取ることができる。
【００４２】
このように、巻き上がった消防用ホースＡから予め回転軸４を抜き取ることにより、残った巻取り軸７に対する消防用ホースＡの巻き締め力が解消し、巻き上がった消防用ホースＡの取外し作業の能率向上と省力化が図れることになる。
【符号の説明】
【００４３】
Ａ          消防用ホース
１          巻取り装置
２          支持フレーム
３          円板
４          回転軸
５          進退操作機構
６          回転伝達機構
７          巻取り軸
８          接地杆
９          縦柱
１０        下部横桟
１１        中間横桟
１２        腕杆
１３        支持プレート
１３ａ      前板
１３ｂ      後板
１３ｃ      カバー
１４        軸受
１５        筒軸
１６        軸受
１７        ハンドル
１８        枢軸
１９        ピニオン歯車
２０        操作レバー
２１        ラック
２２        突起
２３        突起
２４        ホース誘導部
２５        短尺パイプ
２６        腕板
２７        規制杆
２８        取付け孔
【図１】
0003155856.tif 000003
【図２】
0003155856.tif 000004
【図３】
0003155856.tif 000005
【図４】
0003155856.tif 000006
【図５】
0003155856.tif 000007
【図６】
0003155856.tif 000008
【図７】
0003155856.tif 000009